(57)【要約】【課題】組立時及び現場でゴム状弾性支承装置を設置する前の確認作業時に、作業者のスケールの読み間違えによる問題もなく、遊間量の確認作業を効率よく行うことが可能なゴム状弾性支承装置及びその組立方法を提供する。【解決手段】中間部を上方に突設した凸状部７を有するサイドブロック３を両側に固定した下沓１と、凸状部７が所定の遊間量ｘをもって係合する切欠き部２１を両側に形成した上沓２３との間にゴム状弾性支承体１７を配置したゴム状弾性支承装置において、凸状部７と切欠き部２１の両切欠き壁２７，２９との間に挿入してその遊間量ｘを確認可能な遊間量確認治具３１を備えている。【選択図】図３
2004232275.tif 000002
【特許請求の範囲】
【請求項１】
中間部を上方に突設した凸状部を有するサイドブロックを両側に固定した下沓と、前記凸状部が所定の遊間量をもって係合する切欠き部を両側に形成した上沓との間にゴム状弾性支承体を配置したゴム状弾性支承装置において、前記凸状部と前記両側に沿った方向における前記切欠き部の両切欠き壁との間に挿入してその遊間量を確認可能な遊間量確認治具を備えたゴム状弾性支承装置。
【請求項２】
中間部を下方に突設した凸状部を有するサイドブロックを両側に固定した上沓と、前記凸状部が所定の遊間量をもって係合する切欠き部を両側に形成した下沓との間にゴム状弾性支承体を配置したゴム状弾性支承装置において、前記凸状部と前記両側に沿った方向における前記切欠き部の両切欠き壁との間に挿入してその遊間量を確認可能な遊間量確認治具を備えたゴム状弾性支承装置。
【請求項３】
中間部を上方に突設した凸状部を有するサイドブロックを両側に固定した下沓と、前記凸状部が所定の遊間量をもって係合する切欠き部を両側に形成した上沓との間にゴム状弾性支承体を配置したゴム状弾性支承装置を組み立てる方法であって、前記サイドブロックを両側に固定した下沓上に取り付けたゴム状弾性支承体に前記上沓を取り付ける際に、該上沓を前記ゴム状弾性支承体の上面に載置した状態で、前記凸状部と前記両側に沿った方向における前記切欠き部の両切欠き壁との間の遊間量を確認可能な遊間量確認治具を、前記凸状部と前記両切欠き壁との間に挿入してその遊間量を確認した後、前記上沓を前記ゴム状弾性支承体に固定するゴム状弾性支承装置の組立方法。
【請求項４】
中間部を下方に突設した凸状部を有するサイドブロックを両側に固定した上沓と、前記凸状部が所定の遊間量をもって係合する切欠き部を両側に形成した下沓との間にゴム状弾性支承体を配置したゴム状弾性支承装置を組み立てる方法であって、前記サイドブロックを両側に固定した上沓に取り付けたゴム状弾性支承体に前記下沓を取り付ける際に、該下沓を前記ゴム状弾性支承体の下面に当接させた状態で、前記凸状部と前記両側に沿った方向における前記切欠き部の両切欠き壁との間の遊間量を確認可能な遊間量確認治具を、前記凸状部と前記両切欠き壁との間に挿入してその遊間量を確認した後、前記下沓を前記ゴム状弾性支承体に固定するゴム状弾性支承装置の組立方法。
【発明の詳細な説明】
【０００１】
【発明の属する技術分野】
本発明は、橋脚などの下部構造体と橋桁などの上部構造体との間に設置するゴム状弾性支承装置及びその組立方法に関し、更に詳しくは、遊間量の確認作業を効率よく行うことができるようにしたゴム状弾性支承装置及びその組立方法に関する。
【０００２】
【従来の技術】
一般に、橋脚などの下部構造体と橋桁などの上部構造体との間に設置するゴム状弾性支承装置は、中間部を上方に突設した凸状部を有するサイドブロックを両側に固定した下沓と、凸状部が所定の遊間量をもって係合する切欠き部を両側に形成した上沓との間にゴム状弾性支承体を配置した構成になっている（例えば、特許文献１参照）。
【０００３】
下沓に固設したサイドブロックの凸状部を上沓の切欠き部に遊間量をもって係合させることにより、上部構造体が温度変化などにより伸縮した際の動きに対応できるようにしている。また、地震などによる大きな揺れに対して、凸状部が切欠き壁に当接してその動きが規制されることにより、上部構造体である橋桁及び道路ジョイントが許容以上の変形を受けて破損するのを防止している。
【０００４】
【特許文献１】
特開平１１−１７２６２３号公報
【０００５】
【発明が解決しようとする課題】
ところで、上述したゴム状弾性支承装置は、組立時に凸状部と切欠き部の両切欠き壁（上部構造体が動く方向に位置する両切欠き壁）との間の両遊間量をバランスさせるようにして、作業者が上沓をゴム状弾性支承体に固定するが、その際に作業者がその両遊間量をスケールで測定してバランスしたのを確認してから上沓を固定するようにしている。そのため、作業効率の低下を招かざるを得ない。
また、作業者のスケールの読み間違えによる問題も発生する。
【０００６】
更に、上述した遊間量はゴム状弾性支承装置において極めて重要であるため、現場でゴム状弾性支承装置を設置する前に再度確認が行われるが、その際にも上記と同様の問題があり、改善が強く求められていた。
【０００７】
本発明は、組立時及び現場でゴム状弾性支承装置を設置する前の確認作業時に、作業者のスケールの読み間違えによる問題もなく、遊間量の確認作業を効率よく行うことが可能なゴム状弾性支承装置及びその組立方法を提供することにある。
【０００８】
【課題を解決するための手段】
上記目的を達成する本発明のゴム状弾性支承装置は、中間部を上方に突設した凸状部を有するサイドブロックを両側に固定した下沓と、前記凸状部が所定の遊間量をもって係合する切欠き部を両側に形成した上沓との間にゴム状弾性支承体を配置したゴム状弾性支承装置において、前記凸状部と前記両側に沿った方向における前記切欠き部の両切欠き壁との間に挿入してその遊間量を確認可能な遊間量確認治具を備えたことを特徴とする。
【０００９】
また、本発明の他のゴム状弾性支承体装置は、中間部を下方に突設した凸状部を有するサイドブロックを両側に固定した上沓と、前記凸状部が所定の遊間量をもって係合する切欠き部を両側に形成した下沓との間にゴム状弾性支承体を配置したゴム状弾性支承装置において、前記凸状部と前記両側に沿った方向における前記切欠き部の両切欠き壁との間に挿入してその遊間量を確認可能な遊間量確認治具を備えたことを特徴とする。
【００１０】
本発明のゴム状弾性支承体装置の組立方法は、中間部を上方に突設した凸状部を有するサイドブロックを両側に固定した下沓と、前記凸状部が所定の遊間量をもって係合する切欠き部を両側に形成した上沓との間にゴム状弾性支承体を配置したゴム状弾性支承装置を組み立てる方法であって、前記サイドブロックを両側に固定した下沓上に取り付けたゴム状弾性支承体に前記上沓を取り付ける際に、該上沓を前記ゴム状弾性支承体の上面に載置した状態で、前記凸状部と前記両側に沿った方向における前記切欠き部の両切欠き壁との間の遊間量を確認可能な遊間量確認治具を、前記凸状部と前記両切欠き壁との間に挿入してその遊間量を確認した後、前記上沓を前記ゴム状弾性支承体に固定することを特徴とする。
【００１１】
また、本発明の他のゴム状弾性支承体装置の組立方法は、中間部を下方に突設した凸状部を有するサイドブロックを両側に固定した上沓と、前記凸状部が所定の遊間量をもって係合する切欠き部を両側に形成した下沓との間にゴム状弾性支承体を配置したゴム状弾性支承装置を組み立てる方法であって、前記サイドブロックを両側に固定した上沓に取り付けたゴム状弾性支承体に前記下沓を取り付ける際に、該下沓を前記ゴム状弾性支承体の下面に当接させた状態で、前記凸状部と前記両側に沿った方向における前記切欠き部の両切欠き壁との間の遊間量を確認可能な遊間量確認治具を、前記凸状部と前記両切欠き壁との間に挿入してその遊間量を確認した後、前記下沓を前記ゴム状弾性支承体に固定することを特徴とする。
【００１２】
上述した本発明によれば、遊間量確認治具を用いてサイドブロックの凸状部とそれが係合する切欠き部の両切欠き壁との間の遊間量を容易に確認することができるので、組立時及び現場でゴム状弾性支承装置を設置する前の確認作業時に作業者がスケールを読み間違える問題もなく、確認作業を効率よく行うことができる。
【００１３】
【発明の実施の形態】
以下、本発明の構成について添付の図面を参照しながら詳細に説明する。
【００１４】
図１〜３は、本発明のゴム状弾性支承装置の一例を示し、金属プレートからなる下沓１上の両側に金属製のサイドブロック３がボルト５により固定されている。サイドブロック３は、その中間部に上方に向けて突設した凸状部７を有している。
【００１５】
サイドブロック３間の下沓１上には、上下の取付プレート９，１１の間にゴム層１３と鋼板１５を交互に積層して一体的に構成したゴム状弾性支承体１７が配置されている。ボルト１９により下沓１に下取付プレート１１を取り付けることで、ゴム状弾性支承体１７を下沓１に固定している。
【００１６】
ゴム状弾性支承体１７上には、平面視矩形状の切欠き部２１を両側に形成した上沓２３が設けられている。ボルト２５により上取付プレート９に上沓２３を取り付けることで、上沓２３をゴム状弾性支承体１７に固定してある。切欠き部２１には、サイドブロック３の凸状部７が所定の遊間量をもって係合するようになっている。
【００１７】
上述したゴム状弾性支承装置は、図３に示すように、更にサイドブロック３の凸状部７と両側に沿った方向における切欠き部２１の両切欠き壁２７，２９との間に挿入してその遊間量ｘを確認可能な遊間量確認治具３１を備えている。遊間量確認治具３１は、図４に示すように、板状でその挿入部３３の一方の面３５が鉛直方向に対して傾斜した傾斜面に形成され、他方の面３７が鉛直方向に延在して凸状部７の鉛直方向に延在する側面３９に挿入時に当接するようになっている。
【００１８】
遊間量確認治具３１は、その表面に挿入方向（図の上下方向）と直交する方向に延在する色の異なる複数のラインＬが挿入方向に沿って設けられ、図３に示すように遊間量確認治具３１を挿入した際に、その挿入量、即ち遊間量ｘを作業員が上沓２３の上面と一致するラインＬを見ることで一目で分かるようにしてある。
【００１９】
上記遊間量確認治具３１は、挿入時に当接する上沓２３とサイドブロック３の凸状部７の表面を傷付けないようにするため、金属より硬度の低い材料から構成するのがよく、例えば、樹脂を好ましく使用することができる。
【００２０】
本発明のゴム状弾性支承装置では、取付時の作業をより効率的に行うため、遊間量確認治具３１を通常４個備えるが、この４個の治具を樹脂などから構成した場合には、それを図３に示すように挿入した状態で梱包して出荷することで、ゴム状弾性支承体１７のガタ付きを抑制するパッキンとしても使用することができる。
【００２１】
なお、図において、４１は上沓２３を上部構造体に固設されるアンカープレートに固定するための孔部、４３，４５は上沓２３とゴム状弾性支承体１７との間、及び下沓１とゴム状弾性支承体１７との間の位置決めを容易するためのブロック体である。
【００２２】
以下、上述したゴム状弾性支承装置の組立方法を説明する。
【００２３】
先ず、下沓１上の両側にサイドブロック３をボルト５により固定する。続いて、サイドブロック３間の下沓１上にボルト１９により下取付プレート１１を固定し、ゴム状弾性支承体１７を下沓１上に取り付ける。
【００２４】
次いで、上沓２３をその切欠き部２１にサイドブロック３の凸状部７が係合するようにしてゴム状弾性支承体１７の上面に載置した状態で、両側の凸状部７と切欠き部２１の両切欠き壁２７，２９との間にそれぞれ遊間量確認治具３１を挿入し、ラインＬの色、即ち遊間量ｘを確認する。
【００２５】
遊間量ｘが等しくない場合には、上沓２３をずらしてバランスさせ、遊間量ｘを等しくする。それを遊間量確認治具３１により作業者が確認した後、上沓２３をボルト２５により上取付プレート９に取り付けてゴム状弾性支承体１７に固定するのである。
【００２６】
上述した本発明によれば、遊間量確認治具３１を用いて遊間量ｘを容易に確認することができるので、組立時及び現場でゴム状弾性支承装置を設置する前の確認作業時に作業者のスケールの読み間違えによる問題もなく、確認作業を効率よく行うことができる。
【００２７】
上記実施形態では、中間部を上方に突設した凸状部７を有するサイドブロック３を両側に固定した下沓１と、凸状部７が所定の遊間量をもって係合する切欠き部２１を両側に形成した上沓２３との間にゴム状弾性支承体１７を配置したゴム状弾性支承装置について説明したが、上下を逆にしたゴム状弾性支承装置、即ち中間部を下方に突設した凸状部を有するサイドブロックを両側下面に固定した上沓と、その凸状部が所定の遊間量をもって係合する切欠き部を両側に形成した下沓との間にゴム状弾性支承体を配置したゴム状弾性支承装置であってもよい。
【００２８】
その場合の組立は、サイドブロックを両側に固定した上沓に取り付けたゴム状弾性支承体に下沓を取り付ける際に、下沓をゴム状弾性支承体の下面に当接させた状態で、凸状部と両切欠き壁との間に遊間量確認治具３１を挿入してその遊間量を確認した後、下沓をゴム状弾性支承体に固定する。その際に上沓を下側にして組み立てるようにするのがよい。
【００２９】
本発明において、遊間量確認治具３１は、上述したように色の異なる複数のラインＬにより遊間量を確認する構成にするのが、確認を極めて容易に行うことができるので好ましいが、それに限定されず、遊間量を確認可能なマークがあるものであればいずれの構成を採用してもよい。
【００３０】
本発明は、特に橋梁の橋脚と橋桁との間に設置するゴム状弾性支承装置として好ましく用いることができるが、それに限定されない。なお、本発明を橋梁に使用した場合には、上述したサイドブロック３を設ける両側とは、橋軸方向から見てその両側であり、遊間量ｘは橋軸方向の距離である。
【００３１】
【発明の効果】
上述したように本発明は、遊間量確認治具を用いて遊間量を容易に確認することができるので、組立時及び現場でゴム状弾性支承装置を設置する前の確認作業時に作業者のスケールの読み間違えによる問題もなく、確認作業を効率よく行うことができる。
【図面の簡単な説明】
【図１】本発明のゴム状弾性支承装置の一例を示す半断面正面図である。
【図２】図１の平面図である。
【図３】図１の拡大半断面側面図である。
【図４】遊間量確認治具の拡大斜視図である。
【符号の説明】
１  下沓                          ３  サイドブロック
７  凸状部                        １７  ゴム状弾性支承体
２１  切欠き部                    ２３  上沓
２７，２９  切欠き壁              ３１  遊間量確認治具
ｘ  遊間量
【図１】
2004232275.tif 000003
【図２】
2004232275.tif 000004
【図３】
2004232275.tif 000005
【図４】
2004232275.tif 000006